(57)【特許請求の範囲】
【請求項１】
前段の装置は、異なる複数の基地局から第１の待ち時間内に受信した同一移動局のデータから、データ品質に基づいて少なくとも一つのデータを選択し、第１のデータとして後段の装置へ送信するとともに、第１の待ち時間経過後の第２の待ち時間内に、前記基地局とは異なる基地局より前記移動局のデータを受信した場合に、第２のデータとして前記後段の装置へ送信し、
後段の装置は、第３の待ち時間内に受信された第１，第２のデータを含む複数のデータから、データ品質に基づいて少なくとも一つのデータを選択することを特徴とする通信方法。
【請求項２】
前記後段の装置は、第３の待ち時間内に第２のデータが受信されない場合であっても、該時間内に受信されたデータの中からデータを選択することを特徴とする請求項１に記載の通信方法。
【請求項３】
前記前段の装置は、第１のデータと第２のデータとの品質比較結果に基づいて、第２のデータを前記後段の装置へ送信するか否か決定することを特徴とする請求項１に記載の通信方法。
【請求項４】
前記前段の装置は、受信期待される全方路からのデータを受信して第１のデータを選択した場合に、第２のデータ送信を行わない旨の通知を後段の装置へ送信し、
前記後段の装置は、前記通知に基づいて、第３の待ち時間内であってもデータ選択を開始することを特徴とする請求項１に記載の通信方法。
【請求項５】
同一移動局からのデータを、異なる複数の基地局から受信する受信手段と、
前記受信手段により第１の待ち時間内に受信されたデータから、データ品質に基づいて少なくとも一つのデータを選択し、後段の装置へ送信する選択手段と、前記受信手段により第１の待ち時間経過後の第２の待ち時間内に、前記基地局とは異なる基地局より前記移動局からの前記データを受信した場合に、前記後段の装置へ送信する送信手段とを備えたことを特徴とする通信システム。
【発明の詳細な説明】
【０００１】
【発明の属する技術分野】
本発明は携帯電話などに用いられる移動体通信システムに関するものであり、特に異なるセル間を移動局が移動する場合にダイバーシチハンドオーバを行う移動体通信システムに関する。
【０００２】
【従来の技術】
以下、セル、ハンドオーバおよびダイバーシチハンドオーバについて説明する。一般に、基地局（Base Transceiver Stations、以下ＢＴＳと称す）の電波の到達領域をセルと呼ぶ。セルは互いにその一部が若干重なるように配置されている。異なるセル間を移動する移動局（Mobile Station、以下ＭＳと称す）は、このセルの重複領域において、交信基地局を移動元セルのＢＴＳから移動先セルのＢＴＳへ変更する。このような交信基地局の変更をハンドオーバと呼ぶ。
【０００３】
ハンドオーバ時、ＭＳの送信データは、複数のＢＴＳにおいて受信される。各ＢＴＳはその受信データに、受信時電波強度など受信品質を示すデータを付加して同一の基地局制御装置（Radio Network Controller：以下ＲＮＣと称す）へ送信する。ＲＮＣは、それらの受信データの中から受信品質の最も良いものを選択し、移動体交換局（Mobile services Switching Center：以下ＭＳＣと称す）へ送信する。このように最も受信品質の良いデータを選択して行うハンドオーバをダイバーシチハンドオーバと呼び、たとえば第３世代移動体通信システムの無線区間アクセスであるＣＤＭＡ（code division multiple access）方式において採用されている。
【０００４】
図６は従来のダイバーシチハンドオーバの動作を例示する構成図である。図において、７はＭＳ、４ａ，４ｂはＢＴＳ、８ａ，８ｂはそれぞれＢＴＳ４ａ，４ｂのセル、５ａはＲＮＣ、６はＭＳＣである。また、１６ａ，１６ｂは各ＢＴＳ４ａ，４ｂとＲＮＣ５ａとを接続する伝送路、９ａ，９ｂは各ＢＴＳ４ａ，４ｂからＲＮＣ５ａへ送信されるフレーム、１５ａはＲＮＣ５ａとＭＳＣ６とを接続する伝送路である。また、ＲＮＣ５ａにはダイバーシチハンドオーバトランク（ＤＨＴ）５１ａが設けられる。
【０００５】
動作について説明する。ＭＳ７は、セル８ａからセル８ｂへ移動するとき、図６に示すようにそれらの重複領域を通過する。このとき、各ＢＴＳ４ａ，４ｂは、当該ＭＳ７からの受信データに各ＢＴＳにおける受信電波強度などを付加して、ＲＮＣ５ａへ送信する。すなわち、ＢＴＳ４ａは、ＭＳ７からの受信データ１０ａにその受信品質情報１１ａを付加してなるフレーム９ａを、伝送路１６ａを介してＲＮＣ５ａへ送信する。また同様に、ＢＴＳ４ｂは、ＭＳ７からの受信データ１０ｂに受信品質情報１１ｂを付加してなるフレーム９ｂを、伝送路１６ｂを介してＲＮＣ５ａへ送信する。ＲＮＣ５ａに設けられたダイバーシチハンドオーバトランク５１ａは、これらＢＴＳ４ａ，４ｂからのフレーム９ａと９ｂとを比較して受信品質の良い方のフレームを選択し、ＭＳＣ６へ送信する。
【０００６】
図７は、従来のダイバーシチハンドオーバの別の動作を例示する構成図である。図において、図６と同一又は相当部分には同一符号を付す。図７において、７はＭＳ、４ａ〜４ｄはＢＴＳ、１６ａ〜１６ｄは伝送路、９ａ〜９ｄはフレーム、５ａ，５ｂはＲＮＣ、５１ａ，５１ｂはダイバーシチハンドオーバトランク、１５ａ，１５ｂは伝送路、６はＭＳＣ、１７はＲＮＣ５ａとＲＮＣ５ｂとを接続する伝送路である。
【０００７】
いま、ＭＳ７の送信データが、各ＢＴＳ４ａ〜４ｄにおいて受信されたとする。各ＢＴＳ４ａ〜４ｄは、このＭＳ７からの受信データに受信品質情報を付加したフレーム９ａ〜９ｄを生成し、そのフレームをＢＴＳ４ａ〜４ｃはＲＮＣ５ａへ、ＢＴＳ４ｄはＲＮＣ５ｂへ送信する。ＲＮＣ５ａのダイバーシチハンドオーバトランク５１ａは、受信したフレーム９ａ〜９ｃのうち最も受信品質の良いフレームを選択してＲＮＣ５ｂへ送信する。ＲＮＣ５ｂのダイバーシチハンドオーバトランク５１ｂは、ＢＴＳ４ｄから受信するフレーム９ｄとＲＮＣ５ａからのフレームとを比較し、受信品質の良い方のフレームをＭＳＣ６へ送信する。
【０００８】
ところで、第３世代移動体通信システムでは、ＢＴＳとＲＮＣとの間の通信に非同期転送モード（ＡＴＭ：asynchronous transfer mode）方式を採用する。このＡＴＭ方式においては、すべてのデータを固定長のデータ列に分割して送信する。すなわち、ＢＴＳは受信したフレームをさらに複数のフレーム（ＡＴＭセル）に分解してＲＮＣへ送信する。あるいは、ＢＴＳはＡＴＭセルをさらに複数のフレーム（ショートセル）に分解してＲＮＣへ送信する。そして、分割されたフレーム（ＡＴＭセルやショートセル）は、ＲＮＣまたはＭＳＣ側において再合成される。よって、そのフレーム再合成に時間を要する分、上述したＲＮＣにおけるダイバーシチハンドオーバ処理を高速に行わなければならない。しかしながら、分割して送信された各フレームは遅延ゆらぎ等のため、時間差をもってＲＮＣへ到着するため、ダイバーシチハンドオーバ処理、すなわちフレーム選択処理の高速化は容易ではない。
【０００９】
特開平１０−４２３３７号公報に記載の従来のフレーム選択方法では、このような遅延ゆらぎの影響を低減する。図８はこの従来のフレーム選択方法を例示する構成図である。図において４ａ，４ｂは異なるＢＴＳから受信されたフレームを分割して得たショートセルであり、各ショートセルには品質情報が付加されている。これらのショートセルはＡＴＭセル化遅延ゆらぎなどの影響で時間差をもって到着するが、ゆらぎ吸収バッファ１２により時間差が吸収されタイミングがそろえられる。タイミングのそろったショートセル４ａ、４ｂはフレーム選択手段１３に入力され、そこで品質情報の良い方のフレームが選択され出力される。ここで、もし一方のショートセル４ｂが所定時間内に到着せず、ショートセル４ａのみしかバッファに到着しなかった場合には、到着しているショートセル４ａが所定の品質を満たすかどうか検査を行い、満たしている場合にはショートセル４ａを出力する。そして、ショートセル４ｂの到着を待たずして選択処理を終了する（即ち、以降の待ち合わせを行わない）。
【００１０】
【発明が解決しようとする課題】
しかしながら、この特開平１０−４２３３７号公報に記載のフレーム選択方法では、ＲＮＣでのフレーム選択を行った後により良い品質のフレームが到着しても、これを選択できなくなるという問題があった。また、選択処理を短い時間で終わらせるためには、ゆらぎ吸収バッファ１２でのバッファリング時間を小さくする必要があり、結果として許容できる遅延ゆらぎ幅が小さくなるという問題があった。
【００１１】
また、図７に示したようにダイバーシチハンドオーバ処理が複数のＲＮＣに渡っており、多段のフレーム選択を行わなければならない場合、最終的なフレーム選択を終えるまでの処理遅延をシステム全体で許容できる処理遅延内に押さえなければならない。
【００１２】
この発明は、上記のような問題点を解決するためになされたものであり、遅延が少なく、より良い品質のフレームを選択することができる通信方法および通信システムを提供する。特に、多段のＲＮＣを経由して行われるダイバーシチハンドオーバにおいて、遅延を少なくし、より良い品質のフレーム選択を可能とする通信方法および通信システムを提供する。
【００１３】
【課題を解決するための手段】
この発明に係る通信方法においては、前段の装置は、異なる複数の基地局から第１の待ち時間内に受信した同一移動局のデータから、データ品質に基づいて少なくとも一つのデータを選択し、第１のデータとして後段の装置へ送信するとともに、第１の待ち時間経過後の第２の待ち時間内に、前記基地局とは異なる基地局より前記移動局のデータを受信した場合に、第２のデータとして前記後段の装置へ送信し、後段の装置は、第３の待ち時間内に受信された第１，第２のデータを含む複数のデータから、データ品質に基づいて少なくとも一つのデータを選択する。
【００１４】
また、この発明に係る通信方法においては、前記後段の装置は、第３の待ち時間内に第２のデータが受信されない場合であっても、該時間内に受信されたデータの中からデータを選択する。
【００１５】
また、この発明に係る通信方法においては、前記前段の装置は、第１のデータと第２のデータとの品質比較結果に基づいて、第２のデータを前記後段の装置へ送信するか否か決定する。
【００１６】
また、この発明に係る通信方法においては、前記前段の装置は、受信期待される全方路からのデータを受信して第１のデータを選択した場合に、第２のデータ送信を行わない旨の通知を後段の装置へ送信し、前記後段の装置は、前記通知に基づいて、第３の待ち時間内であってもデータ選択を開始する。
【００１７】
さらにまた、この発明に係る通信システムにおいては、同一移動局からのデータを、異なる複数の基地局から受信する受信手段と、前記受信手段により第１の待ち時間内に受信されたデータから、データ品質に基づいて少なくとも一つのデータを選択し、後段の装置へ送信する選択手段と、前記受信手段により第１の待ち時間経過後の第２の待ち時間内に、前記基地局とは異なる基地局より前記移動局からの前記データを受信した場合に、前記後段の装置へ送信する送信手段とを備える。
【００１８】
【発明の実施の形態】
実施の形態１．
図１は、本実施の形態１におけるダイバーシチハンドオーバトランクを例示する構成図である。５１はダイバーシチハンドオーバトランク、９ａ〜９ｃは各ＢＴＳ４ａ〜４ｃの出力フレーム、３ａ〜３ｃはフレーム９ａ〜９ｃを格納するバッファ、２は各バッファ３ａ〜３ｃのフレーム出力タイミングを制御するタイミング制御手段である。１はバッファ３ａ〜３ｃの出力フレームから最も品質の良いフレームを選択する出力方路選択手段であり、受信方路チェック手段１ａと、品質情報比較手段１ｂと、品質情報保持手段１ｃと、受信方路情報付加手段１ｄとにより構成される。
【００１９】
動作の概略を説明する。第１の待ち時間において、ＢＴＳ４ａ〜４ｃから各バッファ３ａ〜３ｃへ、遅延ゆらぎを有したフレーム９ａ〜９ｃがそれぞれ入力される。タイミング制御手段２は、第１の待ち時間経過後、バッファ３ａ〜３ｃに対してフレーム出力を指示する。バッファ３ａ〜３ｃの出力フレームは、受信方路チェック手段１ａへ入力され、受信期待される全方路からフレームが受信されているか否かチェックされる。そして、チェック後のフレーム９ａ〜９ｃは品質情報比較手段１ｂへ、チェック結果は、品質情報比較手段１ｂ、タイミング制御手段２および受信方路情報付加手段１ｄへ出力される。品質情報比較手段１ｂは、受信方路チェック手段１ａからのフレーム９ａ〜９ｃにそれぞれ含まれる品質情報に基づいて、最も品質の良いフレームを選択する。受信方路情報付加手段１ｄは、選択されたフレームに受信方路情報付加手段１ｄからのチェック結果を含め、後段のＲＮＣへ出力する。
【００２０】
第１の待ち時間内に、全方路からフレーム受信されなかった場合、品質情報比較手段１ｂは上記選択したフレームの品質情報を品質情報保持手段１ｃに記憶し、タイミング制御手段２は、第１の待ち時間経過時点を始点とする第２の待ち時間を設定する。タイミング制御手段２は、第２の待ち時間経過後、各バッファ３ａ〜３ｃに対してフレーム出力を指示する。このバッファ３ａ〜３ｃからのフレームは受信方路チェック手段１ａを介して品質情報比較手段１ｂへ入力される。品質情報比較手段１ｂは、このバッファ３ａ〜３ｃからのフレームに、品質情報保持手段１ｃの記憶する品質よりも良い品質のものが含まれる場合には、そのフレームを、受信方路情報付加手段１ｄを介して後段のＲＮＣへ出力する。
【００２１】
なお、受信方路とは、たとえばフレームを受信したＢＴＳのことである。また、フレーム受信を期待できる方路は、ＢＴＳ位置に基づきＲＮＣが適宜に判断する。あるいは、期待できる方路の組み合わせを複数記憶するテーブルをＲＮＣに備えてもよい。また、品質情報としては、受信時の電波強度やＣＲＣ（Cyclic Redundancy Check)などが利用できる。
【００２２】
以下、図２および図３を用いてＲＮＣが多段である場合の動作について詳細に説明する。図２はＲＮＣが多段である場合の動作を例示する説明図である。図２において、４ａ〜４ｄはＢＴＳ、５ａ，５ｂはそれぞれ前段側，後段側のＲＮＣ、９ａ〜９ｄは品質情報を含んだフレームである。ＢＴＳ４ｄの出力フレーム９ｄはＲＮＣ５ｂへ入力され、ＢＴＳ４ａ〜４ｃの出力フレーム９ａ〜９ｃはＲＮＣ５ａへ入力される。ＲＮＣ５ａは図１に示したダイバーシチハンドオーバトランク５１を備える。なお、フレーム４ａ、４ｂ、４ｃの順で品質がよいものとする。
【００２３】
以下、第１の待ち時間中に、ＲＮＣ５ａがＢＴＳ４ａ〜４ｃの全てからフレーム９ａ〜９ｃを受信した場合について説明する。ＢＴＳ４ａ〜４ｃからのフレーム９ａ〜９ｃは、図１に示した各バッファ３ａ〜３ｃにそれぞれ保持される。第１の待ち時間経過後、タイミング制御手段２は各バッファ３ａ〜３ｃに対して保持フレームの出力を指示する。各バッファ３ａ〜３ｃの出力フレームは、出力方路選択手段１の受信方路チェック手段１ａを経て品質情報比較手段１ｂへ入力される。受信方路チェック手段１ａは、期待される全方路からフレーム受信されたか否かをチェックし、チェック結果をタイミング制御手段２、品質情報比較手段１ｂおよび受信方路情報付加手段１ｄへ通知する。品質情報比較手段１ｂは、各フレーム９ａ〜９ｃの中から最も品質の良いフレーム９ｃを選択し、受信方路情報付加手段１ｄを介して図２に示した後段のＲＮＣ５ｂへ送信する。
【００２４】
ここでは期待される全方路からフレームが受信されているため、図１のタイミング制御手段２は、遅れて受信されるフレームはないものとして第２の待ち時間を設定しない。また、品質情報比較手段１ｂは、選択したフレームの品質情報を品質情報保持手段１ｃにおいて保持しない。後段のＲＮＣ５ｂは、先述したＲＮＣ５ａからのフレーム９ｃと、ＢＴＳ４ｄからのフレーム９ｄとを比較して、品質の良い方のフレームを選択して出力する。
【００２５】
図３はＲＮＣが多段である場合の別の動作を例示する説明図である。図において、図２と同一又は相当部分には同一符号を付して説明を省略する。ここでは、伝送路上での処理遅延，ゆらぎ等により、前段のＲＮＣ５ａが第１の待ち時間内にフレーム９ｃを受信できなかった場合について説明する。すなわち、ＲＮＣ５ａが第１の待ち時間内に、ＢＴＳ４ａ，４ｂそれぞれからフレーム９ａ，９ｂのみを受信した場合について説明する。
【００２６】
ＲＮＣ５ａの受信するフレーム９ａ，９ｂは、それぞれ図１のバッファ３ａ，３ｂに保持される。図２と同様、タイミング制御手段２は第１の待ち時間の経過後、各バッファ３ａ〜３ｃに対して保持フレームの出力を指示する。受信方路チェック手段１ａは、このバッファ３ａ，３ｂからのフレーム９ａ，９ｂの方路をチェックして、品質情報比較手段１ｂへ送信する。品質情報比較手段１ｂは、この受信フレームの品質情報を比較し、品質の良いフレーム９ｂを選択し、受信方路情報付加手段１ｄを介して図３に示した後段のＲＮＣ５ａへ送信する。
【００２７】
ここでは、ＢＴＳ４ｃからのフレーム受信が期待されているにも係らず、第１の待ち時間中に受信されていない。よって、受信方路チェック手段１ａは、そのＢＴＳ４ｃからの受信を待つべく、タイミング制御手段２に第２の待ち時間設定を指示する。また、品質情報保持手段１ｃは選択フレーム９ｄの品質情報を保持し、以降の受信フレームの品質評価に備える。
【００２８】
ここで、第２の待ち時間中に、ＢＴＳ４ｃからＲＮＣ５ａにフレーム９ｃが到着したとする。到着したフレームはバッファ３ｃに一旦保持され、第２の待ち時間経過後、タイミング制御手段２からの指示により、受信方路チェック手段１ａへ送信される。受信方路チェック手段１ａは、方路のチェック後、このフレームを品質情報比較手段１ｂへ送信する。品質情報比較手段１ｂは、品質情報保持手段１ｃに保持されている以前の選択フレーム９ｂとの比較で、フレーム９ｃの方が品質が良い場合、このフレーム９ｃを受信方路情報付加手段１ｄを介して後段ＲＮＣ５ｂへ送信する。
【００２９】
後段のＲＮＣ５ｂは、許容待ち時間内に受信されるフレームをバッファリングし、その中で最も品質の良いフレームをさらに後段のＲＮＣまたはＭＳＣへ出力する。さらに詳しくは、許容待ち時間内に、ＢＴＳ４ａからのフレーム９ｄと、第１のＲＮＣ５ａからのフレーム９ｂとが受信された場合には、それら二つのフレームのうち品質の良い方のフレームを出力する。ＲＮＣ５ａからのフレーム９ｃが許容待ち時間内に到着した場合は、それも含めたフレーム９ｂ，９ｃ，９ｄの３フレームの中から最も品質の良いフレームを選択して出力する。
【００３０】
図４は、前段ＲＮＣにおける第１，第２の待ち時間と、後段ＲＮＣにおける許容待ち時間との関係を例示した説明図である。図において、Ｔｗ１は後段ＲＮＣにおける許容待ち時間、Ｔｗ２，Ｔｗ３はそれぞれ前段ＲＮＣにおける第１，第２の待ち時間である。また、Ｔｄ１は前段から後段ＲＮＣへフレームを送信するのに要する時間（前段ＲＮＣのフレーム送信後、当該フレームが後段ＲＮＣに受信されるまでの時間）であり、ゆらぎＴｄ２を有している。すなわち、Ｔｄ１はゆらぎＴｄ２を有した送信所要時間の平均的な値である。Ｔｄ３は当該送信所要時間の最大値である。本実施の形態１では、以下の二条件を同時に満たすように設定する。
条件１：Ｔｗ１≧Ｔｗ２＋Ｔｄ３
条件２：Ｔｗ１≧Ｔｗ２＋Ｔｗ３＋Ｔｄ１
【００３１】
すなわち、第１の待ち時間Ｔｗ２は、最大のゆらぎ遅延が生じた場合であっても必ず後段ＲＮＣに許容待ち時間Ｔｗ１以内にフレームが到着するよう設定する。また、第２の待ち時間Ｔｗ３は、少なくとも許容待ち時間Ｔｗ１以内に後段ＲＮＣに到着する可能性がある範囲内で設定する。なお、この第１、および第２の待ち時間Ｔｗ２，Ｔｗ３の長さをそれぞれ長くすると、前段ＲＮＣと後段ＲＮＣ間のデータ送信の信頼性を向上させることができる。一方、これらの長さを短くすると、送信遅延の低減を図ることが可能となる。また、後段ＲＮＣにおける許容待ち時間Ｔｗ１は、送受信データの種別毎に設定すればよく、例えば音声ではCodec処理時間も考慮してユーザが不自然と感じない程度に設定すればよい。
【００３２】
以上のように本実施の形態１では、前段ＲＮＣが、第１の待ち時間内に受信されたフレームの中で最も品質のよいものを後段ＲＮＣへ送信するとともに、第２の待ち時間内にさらに品質のよいものが受信された場合にそれを後段ＲＮＣへ送信するので、複数のＲＮＣに渡るダイバーシチハンドオーバにおいて、ＲＮＣ間で送受されるデータ量の低減を図り、また、データ転送の遅延の低減、品質の向上を図ることができる。
【００３３】
なお、ここでは前段ＲＮＣ５ａが図１に示したダイバーシチハンドオーバトランク５１を備えたが、前段ＲＮＣ５ａと後段ＲＮＣ５ｂの双方が備えてもよく、その場合、後段ＲＮＣ５ｂの許容待ち時間は、上述の第１の待ち時間（Ｔｗ２）、または第１の待ち時間と第２の待ち時間との和（Ｔｗ２＋Ｔｗ３）とすることができる。
【００３４】
実施の形態２．
本実施の形態２では、図１の受信方路情報付加手段１ｄが付加する「全方路からフレームが受信されたか否かを示す情報」について詳細に説明する。図５は、前段ＲＮＣと後段ＲＮＣとの間で送受されるフレームを例示する構成図である。図において、１０はＭＳが送信するデータ部、１１はＢＴＳがＭＳからデータを受信した際の受信品質を示す品質情報、１４は図１の受信方路情報付加手段１ｄにより付加され、全方路からフレームが受信されたか否かを示す受信方路情報である。
【００３５】
図２で例示したように、前段ＲＮＣ５ａが第１段階の待ち時間内に全ての方路からフレームを受信してフレーム９ｃを選択した場合、図１に示した受信方路情報付加手段１ｄは「全ての方路からフレーム受信した」旨の受信方路情報１４をフレーム９ｃに付与して後段ＲＮＣ５ｂへ送信する。これにより、後段ＲＮＣ５ｂは、前段ＲＮＣ５ａから更なるフレーム送信がないことを知り、それに基づき、許容待ち時間であっても受信フレームの品質比較を開始する。すなわち、上述の例では、前段ＲＮＣ５ａからのフレーム９ｃと、ＢＴＳ４ｄからのフレーム９ｄを受信した段階で、後段ＲＮＣ５ｂは期待する全てのフレームが受信されたと判断し、これらのフレームの品質比較を開始する。
【００３６】
また、図３で示したように、前段ＲＮＣ５ａが第１の待ち時間にフレーム９ａ、９ｂからのフレームを受信して、フレーム９ｂを選択した時、前段ＲＮＣ５ａは「ＢＴＳ４ａ，４ｂの２つの方路からフレームを受信した」旨、あるいは「受信していない方路が存在する」旨の受信方路情報１４をフレームに付与して後段ＲＮＣ５ｂへ送信する。後段ＲＮＣ５ｂは、この受信方路情報１４により、今後より良いフレームを前段ＲＮＣ５ａから受信する可能性があると認識し、許容待ち時間最大までフレームの受信を待つ。そして、許容待ち時間の経過後、受信フレームの品質比較を開始する。
【００３７】
本実施の形態１では以上のように、前段ＲＮＣにおける選択処理においてフレームを受信した方路の情報を付与することにより、後段ＲＮＣで更にフレームを待つか否かの判断が可能になり、遅延時間の低減が可能となる。
【００３８】
【発明の効果】
この発明は以上説明したように構成されているので、以下に示すような効果を奏する。この発明に係る通信方法においては、前段の装置は、異なる複数の基地局から第１の待ち時間内に受信した同一移動局のデータから、データ品質に基づいて少なくとも一つのデータを選択し、第１のデータとして後段の装置へ送信するとともに、第１の待ち時間経過後の第２の待ち時間内に、前記基地局とは異なる基地局より前記移動局のデータを受信した場合に、第２のデータとして前記後段の装置へ送信し、後段の装置は、第３の待ち時間内に受信された第１，第２のデータを含む複数のデータから、データ品質に基づいて少なくとも一つのデータを選択するので、遅延を低減させ、後段装置において品質の良いデータを得ることができる。
【００３９】
また、この発明に係る通信方法においては、前記後段の装置は、第３の待ち時間内に第２のデータが受信されない場合であっても、該時間内に受信されたデータの中からデータを選択するので、遅延を低減させ、後段装置において品質の良いデータを得ることができる。
【００４０】
また、この発明に係る通信方法においては、前記前段の装置は、第１のデータと第２のデータとの品質比較結果に基づいて、第２のデータを前記後段の装置へ送信するか否か決定するので、ＲＮＣ間でのデータ伝送量を低減することができる。
【００４１】
また、この発明に係る通信方法においては、前記前段の装置は、受信期待される全方路からのデータを受信して第１のデータを選択した場合に、第２のデータ送信を行わない旨の通知を後段の装置へ送信し、前記後段の装置は、前記通知に基づいて、第３の待ち時間内であってもデータ選択を開始するので、特に遅延を低減させることができる。
【００４２】
さらにまた、この発明に係る通信システムにおいては、同一移動局からのデータを、異なる複数の基地局から受信する受信手段と、前記受信手段により第１の待ち時間内に受信されたデータから、データ品質に基づいて少なくとも一つのデータを選択し、後段の装置へ送信する選択手段と、前記受信手段により第１の待ち時間経過後の第２の待ち時間内に、前記基地局とは異なる基地局より前記移動局からの前記データを受信した場合に、前記後段の装置へ送信する送信手段とを備えたので、遅延を低減させ、後段装置において品質の良いデータを得ることができる。
【図面の簡単な説明】
【図１】  本実施の形態１におけるダイバーシチハンドオーバトランクを例示する構成図である。
【図２】  本実施の形態１におけるＲＮＣが多段である場合の動作を例示する説明図である。
【図３】  本実施の形態１におけるＲＮＣが多段である場合の別の動作を例示する説明図である。
【図４】  本実施の形態１における第１，第２の待ち時間および許容待ち時間を例示する説明図である。
【図５】  本実施の形態２における前段ＲＮＣと後段ＲＮＣとの間で送受されるフレームを例示する構成図である。
【図６】  従来のダイバーシチハンドオーバの動作を例示する構成図である。
【図７】  従来のダイバーシチハンドオーバの別の動作を例示する構成図である。
【図８】  従来のフレーム選択方法を例示する構成図である。
【符号の説明】
１ａ  受信方路チェック手段    １ｂ  品質情報比較手段    １ｃ  品質情報保持手段    １ｄ  受信方路情報付加手段    ２  タイミング制御手段    ３ａ〜３ｃ  バッファ    ４ａ〜４ｄ  ＢＴＳ    ５ａ，５ｂ  ＲＮＣ    ６  ＭＳＣ    ７  ＭＳ    ８ａ，８ｂ  セル    ９ａ〜９ｄ  フレーム    １０ａ，１０ｂ  受信データ    １１ａ，１１ｂ  受信品質情報    １４  受信方路情報  １５ａ，１５ｂ，１６ａ〜１６ｄ  伝送路    ５１，５１ａ，５１ｂ  ダイバーシチハンドオーバトランク
【図１】
0003649079.tif 000002
【図２】
0003649079.tif 000003
【図３】
0003649079.tif 000004
【図４】
0003649079.tif 000005
【図５】
0003649079.tif 000006
【図６】
0003649079.tif 000007
【図７】
0003649079.tif 000008
【図８】
0003649079.tif 000009